(57)【特許請求の範囲】
【請求項１】
トランスポンダ部と、このトランスポンダ部と接続される波長分割多重部とを含む波長分割多重装置であって、
前記波長分割多重部は、前記トランスポンダ部から受信される、異なる波長を有する複数の光を波長多重して送出するとともに、波長多重された光を受信し、この波長多重された光を異なる波長を有する複数の光に分割して前記トランスポンダ部に送信し、
前記トランスポンダ部は、前記波長分割多重部で多重又は分割される複数の光の波長毎に用意され、前記複数の光の一つを前記波長分割多重部との間で送受信する複数のトランスポンダを有し、
前記複数のトランスポンダの少なくとも１つは、
前記波長分割多重部に接続されたときに前記波長分割多重部から受信される、前記異なる波長の一つを有する受信光の波長を検出する検出手段と、
前記波長分割多重部へ送信される光の波長たる送信波長を前記検出手段によって検出された受信光の波長と同じ波長に決定する決定手段と、
前記波長分割多重部へ送信すべき光の波長を前記送信波長に変換して送信する設定を行う設定制御手段と、
を含む波長分割多重装置。
【請求項２】
前記検出手段は、通過波長を変更可能であり、前記波長多重分割部からの受信光が入射されるチューナブルフィルタと、前記チューナブルフィルタを通過した光を検知するフォトディテクタと、前記フォトディテクタの検知状況に応じて前記通過波長を変更する制御手段とを含み、
前記フォトディテクタで前記チューナブルフィルタを通過した前記受信光が検知されたときの通過波長が前記受信光の波長として検出される
請求項１記載の波長分割多重装置。
【請求項３】
前記波長分割多重装置で使用可能な異なる複数の波長が前記チューナブルフィルタに設定すべき設定対象通過波長として規定され、
前記波長分割多重装置で既に使用中の波長を識別可能な情報を記憶した記憶手段をさらに備え、
前記記憶手段に記憶された情報に基づき、使用中の波長が前記設定対象通過波長から除外され、
前記フォトディテクタの検知状況に応じて、前記チューナブルフィルタの通過波長が、前記設定対象通過波長の一つに切り替えられる
請求項２記載の波長分割多重装置。
【請求項４】
波長分割多重装置に含まれる波長分割多重部と接続され、前記波長多重分割部で波長多重される、波長が異なる複数の光の一つをこの波長多重分割装置へ送信するとともに、波長分割多重装置へ送信される波長と同じ波長の光を前記波長多重分割部から受信するトランスポンダであって、
前記波長分割多重部に接続されたときに前記波長分割多重部から受信される、前記異なる波長の一つを有する受信光の波長を検出する検出手段と、
前記波長分割多重部へ送信される光の波長たる送信波長を前記検出手段によって検出された受信光の波長と同じ波長に決定する決定手段と、
前記波長分割多重部へ送信すべき光の波長を前記送信波長に変換して送信する設定を行う設定制御手段と、
を含むトランスポンダ。
【請求項５】
波長分割多重装置に含まれる波長分割多重部と接続され、前記波長多重分割部で波長多重される、波長が異なる複数の光の一つをこの波長多重分割装置へ送信するとともに、波長分割多重装置へ送信される波長と同じ波長の光を前記波長多重分割部から受信するトランスポンダが、
前記波長分割多重部に接続されたときに前記波長分割多重部から受信される、前記異なる波長の一つを有する受信光の波長を検出し、
前記波長分割多重部へ送信される光の波長たる送信波長を前記検出された受信光の波長と同じ波長に決定し、
前記波長分割多重部へ送信すべき光の波長を前記送信波長に変換して送信する設定を行う、
ことを含むトランスポンダの自動送信波長設定方法。
【発明の詳細な説明】
【技術分野】
【０００１】
本発明は、光伝送において複数の信号を波長多重／分割して伝送することで大容量伝送を可能にする波長分割多重装置(ＷＤＭ(Wavelength Division Multiplexing)伝送装置)に関する。
【背景技術】
【０００２】
ＷＤＭ伝送装置では、図１に示すように、複数の異なる信号を特定の波長へ変換するトランスポンダ部と、波長多重／分割を行い、波長多重後に光増幅するＷＤＭ部(波長分割
多重部)とで構成されている。
【０００３】
ＷＤＭ部で波長多重／分割される波長は、ITU-T G.694で規定されており、一般的に、
ＷＤＭ部は、ITU-T G.694で規定された波長グリッドに準拠した波長を多重する。大容量
のＷＤＭ伝送装置では、４０波や８０波、或いはそれ以上の波長多重が行われる。トランスポンダ部は、多重される波長数のトランスポンダを必要とする。従って、多重される波長数が増えると、ＷＤＭ伝送装置の規模は大きくなる。
【０００４】
ＷＤＭ伝送装置の起動時(立ち上げ時)においては、多重される波長数のトランスポンダが光ファイバを介してＷＤＭ部に接続される。このとき、ＷＤＭ部の接続先から受信される各波長と同じ波長を各トランスポンダに設定する必要がある。現状では、上記した接続作業は、全て手作業で行われている。トランスポンダの波長設定も集中管理局からの遠隔操作などによるオペレータの手作業で行われている。従って、大容量ＷＤＭ伝送装置の立ち上げ作業では、多数の波長に係る設定作業が必要になる。このため、波長設定作業が非常に煩雑となり、誤設定の可能性も多くなる。
【０００５】
また、すでに運用を開始しているＷＤＭ伝送装置に、新たな波長を増設(追加)する場合にも、新たな波長に係る接続及び設定作業が必要になる。この場合、オペレータは、既に運用されている波長を鑑みながら、未使用波長の選択や波長設定を行わなければならない。このとき、オペレータは、多くの事項を確認して作業を行わなければならないので、誤設定の可能性がある。
【０００６】
上述したような波長設定作業の煩雑さを解消するために、トランスポンダの送信波長設定を自動で行う方法が、既に提案されている。例えば、特許文献１には、「波長多重光伝送システムおよび光信号伝送制御方法」が開示されている。特許文献１記載の技術では、ＷＤＭ部の波長多重部分がフィルタを有し、特定の波長帯のみ光を通過させる構成を持つことに鑑み、フィルタの前後に光強度検出用のフォトディテクタを設け、トランスポンダの送信波長を順にスイープさせる。これによって、接続先と一致する波長を送信波長に設定したときに光強度を検出することができる。さらに、光検出情報をＷＤＭ部の制御部からトランスポンダ部の制御部へ通知して、トランスポンダの送信波長を設定波長として決定する。特許文献１記載の技術では、ＷＤＭ部の制御部とトランスポンダ部の制御部との間で情報をやり取りする仕組みが必要である。このため、ベンダが異なるＷＤＭ部とトランスポンダ部とでＷＤＭ伝送装置が構成される場合には、両者間のやりとりの制御が困難となるおそれがある。また、特許文献１記載の技術では、トランスポンダの送信波長をスイープさせて判定を行う。このため、判定に長い時間を要するおそれがある。
【０００７】
また、特許文献２には、「波長多重分割装置及び同装置における変換波長の自動設定方法」が開示されている。特許文献２記載の技術は、波長の自動設定機能だけでなく光ファイバの誤接続防止機能も有する。特許文献２記載の技術は、ＷＤＭ部とトランスポンダ部
との間で、主信号の変調によって自身の波長情報を付加する機能を有し、ＷＤＭ部の特定のフィルタを通過した光のレベル監視と、光の通過後に変調された波長情報の復調及び検出とが実行される。これによって、設定すべき波長が正確に接続されているかが判断可能となっている。特許文献２記載の技術では、ＷＤＭ部及びトランスポンダ部に対し、主信号に波長情報を付加するための変調機能を追加する必要がある。
【０００８】
以上説明したように、特許文献１及び２のような従来技術では、ＷＤＭ部及びトランスポンダ部の双方に改良を加える(波長自動設定用の機能を追加する)ことで、波長自動設定が実現されている。
【特許文献１】特開２００４−２７４１１３号公報
【特許文献２】特開２００４−０１５３２８号公報
【発明の開示】
【発明が解決しようとする課題】
【０００９】
本発明の目的は、トランスポンダ部に対する改良で、送信波長の自動設定を可能とする技術を提供することである。
【課題を解決するための手段】
【００１０】
本発明は、上記課題を解決するため、以下の構成を採用する。
【００１１】
即ち、本発明は、トランスポンダ部と、このトランスポンダ部と接続される波長分割多重部とを含む波長分割多重装置であって、
前記波長分割多重部は、前記トランスポンダ部から受信される、異なる波長を有する複数の光を波長多重して送出するとともに、波長多重された光を受信し、この波長多重された光を異なる波長を有する複数の光に分割して前記トランスポンダ部に送信し、
前記トランスポンダ部は、前記波長分割多重部で多重又は分割される波長毎に用意され、前記複数の光の一つを前記波長分割多重部との間で送受信する複数のトランスポンダを有し、
前記複数のトランスポンダの少なくとも１つは、
前記波長分割多重部に接続されたときに前記波長分割多重部から受信される、前記異なる波長の一つを有する受信光の波長を検出する検出手段と、
前記検出手段によって検出された受信光の波長に基づいて、前記波長分割多重部へ送信される光の波長たる送信波長を決定する決定手段と、
前記波長分割多重部へ送信すべき光の波長を前記送信波長に変換して送信する設定を行う設定制御手段と、を含む波長分割多重装置である。
【００１２】
本発明によれば、トランスポンダが、波長分割多重部からの受信光の波長を検出し、検出した受信光に基づいて送信波長が決定及び設定される。これによって、トランスポンダに対する送信波長設定が自動化され、波長設定作業の省力化が図られる。また、手作業による誤設定のおそれを解消できる。また、本発明によれば、現状の波長多重分割装置のトランスポンダに対し、上記した検出手段，決定手段及び設定制御手段を設けることで送信波長の自動設定を実現することができる。
【００１３】
本発明は、前記検出手段が、通過波長を変更可能であり、前記波長多重分割部からの受信光が入射されるチューナブルフィルタと、前記チューナブルフィルタを通過した光を検知するフォトディテクタと、前記フォトディテクタの検知状況に応じて前記通過波長を変更する制御手段とを含み、
前記フォトディテクタで前記チューナブルフィルタを通過した前記受信光が検知されたときの通過波長が前記受信光の波長として検出されるように構成することができる。
【００１４】
また、本発明は、前記波長分割多重装置で使用可能な異なる複数の波長が前記チューナブルフィルタに設定すべき設定対象通過波長として規定され、
前記波長分割多重装置で既に使用されている全ての波長を記憶した記憶手段をさらに備え、
前記記憶手段に記憶された全ての波長が、前記設定対象通過波長から除外され
前記フォトディテクタの検知状況に応じて、前記チューナブルフィルタの通過波長が、前記設定対象通過波長の一つに切り替えられるように構成することができる。
【００１５】
また、本発明は、上記した波長分割多重装置と同様の特徴を有する波長分割多重装置の自動送信波長設定方法，上記した波長分割多重装置に含まれるトランスポンダと同様の特徴を有するトランスポンダ及びこのトランスポンダによる自動送信波長設定方法として特定することができる。
【発明の効果】
【００１６】
本発明によれば、トランスポンダ部に対する改良で、送信波長の自動設定を可能とする技術を提供することができる。
【発明を実施するための最良の形態】
【００１７】
以下、図面を参照して本発明の実施形態について説明する。実施形態の構成は例示であり、本発明は、実施形態の構成に限定されない。
【００１８】
〔第１実施形態〕
〈装置構成〉
図２は、本発明によるＷＤＭ伝送装置(波長分割多重装置)の第１実施形態における構成例を示す図である。図２において、ＷＤＭ伝送装置１は、トランスポンダ部１０と、トランスポンダ部１０に光ファイバを介して接続されるＷＤＭ部（波長分割多重部）２０と、トランスポンダ部１０を制御するトランスポンダ制御部３０と、ＷＤＭ部２０を制御するＷＤＭ制御部４０とを備えている。
【００１９】
トランスポンダ部１０は、ＷＤＭ伝送装置１で取り扱われる、相互に異なる波長を有する複数の信号光をＷＤＭ部２０に送信する。ＷＤＭ部２０は、受信された複数の信号光を波長多重し、波長多重された光(多重信号光)を、この多重信号光の宛先(ＷＤＭ伝送装置
１の接続先)へ向けて送出する。一方、ＷＤＭ部２０は、異なる波長を有する複数の信号
光が波長多重された多重信号光を受信する。ＷＤＭ部２０は、多重信号光を増幅し、異なる波長を有する複数の信号光に分割し、トランスポンダ部１０へ送信する。トランスポンダ部１０は、各信号光をその宛先へ向けて送出する。ＷＤＭ伝送装置１で取り扱われる(
多重／分割可能な)複数の波長として、例えば、ITU-T G.694で規定された複数の波長グリッドに応じた複数の波長を適用することができる。
【００２０】
トランスポンダ部１０は、ＷＤＭ伝送装置１で多重／分割される波長数のトランスポンダ５０(＃１〜ｎ：ｎは自然数)を実装することができる。各トランスポンダ５０は、各種信号(SONET/SDH，Ethernet（登録商標），SANなど)を多重化するために、受信波長をＷＤＭ伝送装置１で取り扱われる特定の１波長へ変換する。
【００２１】
各トランスポンダ５０は、同じ構成を有している。トランスポンダ５０は、信号光(主
信号)の受信部(Ｒｘ)５１と、受信部５１で受信された信号光に対する処理を行う信号処
理部５２と、信号処理部５２から出力された信号光に対する波長変換を行う送信部(Ｔｘ)５３とを備えている。送信部５３から出力される信号光は、ＷＤＭ部２０に入力される。
【００２２】
また、各トランスポンダ５０は、ＷＤＭ部２０からの信号光(主信号)を分岐させる光フ
ァイバカプラ(ＣＰＬ)５４と、ＣＰＬ５４からの信号光の受信部(Ｒｘ)５５と、受信部５５から出力され、信号処理部５２を通過した信号光の送信部(Ｔｘ)５６とを備えている。
【００２３】
さらに、各トランスポンダ５０は、ＣＰＬ５４から入射される信号光(ＷＤＭ部２０か
らの受信光)の波長を測定する波長計５７と、波長計５７で測定された受信光の波長を検
出する波長検出部５８と、波長検出部５８で検出された波長を、送信部５３での波長変換により得るべき波長(送信波長)として決定するとともに、送信波長の設定制御を実行する波長設定部５９とを備えている。
【００２４】
一方、ＷＤＭ部２０は、各トランスポンダ５０に応じて設けられた複数のフィルタ２１と、各フィルタ２１と接続された多重／分割部２２と、多重／分割部２２に接続された光増幅部２３とを含んでいる。
【００２５】
各フィルタ２１は、対応するトランスポンダ５０と光ファイバを介して接続される。各フィルタ２１は、対応するトランスポンダ５０の間で送受信すべき特定の波長λｓの光(
ｓ＝１,２,・・・ｎ−１,ｎ：λ１〜λｎのいずれか)を通過させるように構成されている。即ち、各フィルタ２１は、対応するトランスポンダ５０から受信される光のうち、予め設定された波長λｓを通過させて、多重／分割部２２に送出する。一方、各フィルタ２１は、多重／分割部２２から入力される光信号中の波長λｓを通過させて、対応するトランスポンダ５０のＣＰＬ５４に送出する。このように、各トランスポンダ５０と、対応するフィルタ２１とは対(ペア)を構成し、所定波長λｓの光(相互に異なる波長を有する複数
の光の一つ)を送受信する。
【００２６】
多重／分割部２２は、各フィルタ２１を通過した各波長を多重する多重部と、光増幅部２３から入力される多重波長(多重光信号)を複数の波長に分割する分割部とを有している。光増幅部２３は、多重／分割部２３で波長多重された全波長帯の信号光(多重信号光)を増幅する光増幅器２３Ａと、ＷＤＭ伝送装置１の接続先から受信される多重信号光の全波長帯を増幅する光増幅器２３Ｂとを含む。光増幅器２３Ａで増幅された信号光は、ＷＤＭ伝送装置１の接続先へ向けて送出される。光増幅器２３Ｂで増幅された信号光は、多重／分割部２２に入力される。
【００２７】
第１実施形態では、ＷＤＭ部２０が既に運用状態であること、ＷＤＭ部２０とトランスポンダ部１０との間の送受信は１対(ペア)で運用されることが実施条件となっている。以下、運用状態のＷＤＭ伝送装置１に波長を追加する場合について説明する。
【００２８】
〈波長検出及び設定〉
第１実施形態では、トランスポンダ５０が、ＷＤＭ部２０から入力される光(受信光)の波長を検出し、検出した波長を送信波長として決定し、送信部５３に設定する。図３は、トランスポンダ５０にて検出されるＷＤＭ部２０からの受信光の説明図である。
【００２９】
ＷＤＭ部２０が起動しており、運用状態であれば、ＷＤＭ部２０では、光増幅器２３Ｂによって、受信された多重信号光に対する光増幅が行われる。運用状態では、図３に示すように、ＷＤＭ伝送装置１での未使用波長であっても、ＷＤＭ部２０の光増幅器２３Ｂにおいて、ＡＳＥ(Amplified Spontaneous Emission)光とよばれる光増幅器の雑音成分などが、全波長帯域で、ある程度の光パワーに増幅される。
【００３０】
ＷＤＭ部２０の波長分割方向(ＷＤＭ部２０→トランスポンダ部１０)では、ＡＳＥ光が多重／分割部２２にて各波長に分割され、フィルタ２１を通過して、図３に示すように、フィルタ２１の通過波長に応じたそれぞれの波長(波長帯域)での光レベルとなってトランスポンダ５０に到達する。本発明は、このようなＷＤＭ部２０からトランスポンダ５０に
入射される漏れ光(ＡＳＥ)を利用し、トランスポンダ部５０で漏れ光の波長を検出し、自装置で設定すべき送信波長として利用する。
【００３１】
例えば、図２に示すトランスポンダ５０(＃１)に対する波長設定(波長追加)を行う場合を想定する。ＷＤＭ部２０では、光増幅器２３Ｂによって増幅された多重信号光が多重／分割部２２で分割され、各フィルタ２１に入力される。ここで、トランスポンダ５０(＃
１)に対応するフィルタ２１Ａは、所定波長λ１を中心とした所定の波長帯の光のみを通
過させる。従って、波長λ１を中心とした波長帯の光(ＡＳＥ)は、フィルタ２１Ａから漏れ光として出力される。
【００３２】
接続作業者は、ＷＤＭ部２０のλ１(フィルタ２１Ａ)と、トランスポンダ部１０の未使用トランスポンダ(トランスポンダ５０(＃１))とを正確に光ファイバで接続する。これによって、トランスポンダ５０(＃１)の受信部５５(主信号受信部)には、波長λ１を中心とする波長帯の光が入力される状態となる。
【００３３】
ここに、受信部５５とフィルタ２１Ａとの間には、ＣＰＬ５４が挿入されている。このため、フィルタ２１Ａからの受信光の一部は、ＣＰＬ５４で分岐して波長検出用の波長計５７に入力される。波長計５７は、入力される光の波長を測定する。
【００３４】
図４は、波長計５７の構成例を示す図である。図４において、波長計５７は、ＣＰＬ５４からの入力光(受信光)が通過する第１スリット５７１と、第１スリット５７１を通過した光を反射する第１ミラー５７２と、第１ミラー５７２の反射光を反射により回折するグレーティング(回折格子)５７３と、グレーティング５７３からの回折光を反射する第２ミラー５７４と、第２ミラー５７４で反射した光が通過する第２スリット５７５と、第２スリット５７５を通過した光を検知するフォトディテクタ(ＰＤ)５７６とを備えている。
【００３５】
グレーティング５７３は、等間隔に並んだ多数のスリットを有する光分散素子である。グレーティング５７３は、図示しないアクチュエータによって回転し、自身の回転角度(
反射角度)を変更する。グレーティング５７３が回転すると、光の回折方向が変わり、グ
レーティング５７３で反射される光の波長が変更される。これによって、第２スリット５７５からは、グレーティング５７３の回転角度に応じた波長の光が出射される。従って、ＰＤ５７６にて出力光が検知されたときにおけるグレーティング５７３の回転角度から、ＰＤ５７６にて検知された出力光の波長を求めることができる。
【００３６】
波長計５７は、例えば、トランスポンダ制御部３０からの通知(要求コマンド)に応じて、アクチュエータを駆動させ、グレーティング５７３を回転させる。このとき、入力光の波長と、グレーティング５７３の回転角度とが合致すると、第２スリット５７５から出力光が出射され、ＰＤ５７６にて検知される。
【００３７】
すると、波長計５７は、例えば、グレーティング５７３の回転角度と出力光の波長との関係を示すデータ(例えば、図示しない記憶装置上に記憶されている)に基づき、ＰＤ５７６で出力光が検知されたときのグレーティング５７３の回転角度に対応する波長を、入力光(ＷＤＭ部２０からの受信光)の波長(波長情報)として波長検出部５８に与える。
【００３８】
例えば、波長計５７は、回転角度と波長との関係を示すデータとして、ＷＤＭ伝送装置１で使用される各波長グリッドの波長λｓに応じたグレーティング５７３の回転角度データを有し、各波長λｓの光がＰＤ５７６で検出されるように、グレーティング５７３の回転角度を切り替える構成とすることができる。
【００３９】
図２に戻って、波長検出部５８は、波長決定のためにＷＤＭ伝送装置１で使用している
複数の波長グリッドを示す情報を有している。波長グリッドの情報は、例えば、図示しない記憶装置上に格納されている。波長グリッドの情報として、各波長グリッドの中心波長から適切な波長幅(中心波長±α)を規定することができる。
【００４０】
波長検出部５８は、波長計５７からの波長情報が入力されたときに、波長情報によって示される波長がどの波長幅の範囲に収まるかを判定する。即ち、波長検出部５８は、波長計５７からの波長情報と波長グリッド情報(各波長グリッドの範囲)とを比較し、現在ＷＤＭ部２０から受信されている波長がどの波長グリッドに相当するかを決定する。波長検出部５８は、波長計５７で検知された波長が属する波長グリッドを決定すると、決定された波長グリッドの中心波長を、送信波長λ１として設定すべき波長情報として波長設定部５９へ送る。
【００４１】
波長設定部５９は、波長検出部５８からの波長情報を受け取ると、波長情報で示される波長を、トランスポンダ５０(＃１)のＷＤＭ側の送信波長λ１として、主信号の送信部５３に設定する制御を行う。これによって、送信部５３は、信号処理部５２からの信号光を送信波長λ１を有する信号光に変換し、ＷＤＭ部２０へ送信する。
【００４２】
以上の構成において、ＣＰＬ５４，波長計５７，波長検出部５８及び波長設定部５９が本発明に係る新規な構成である。波長検出部５８及び波長設定部５９は、例えば、ハードウェアロジック回路によって実現することができる。或いは、波長検出部５８及び波長設定部５９は、ＣＰＵのようなプロセッサ，記憶装置，及び入出力インタフェース等から構成され、プロセッサが記憶装置に記憶されたプログラムを実行することによって上記した機能を実現するように構成することができる。
【００４３】
〈動作例〉
図５は、第１実施形態におけるＷＤＭ伝送装置１で実施される自動波長設定シーケンスを示す図である。図５に沿って自動波長設定に係る処理(自動波長設定方法)を説明する。図５において、最初に、ＷＤＭ部２０(フィルタ２１)とトランスポンダ部１０(波長設定
に係るトランスポンダ５０)とが、送信側(トランスポンダ→ＷＤＭ部)及び受信側(ＷＤＭ部→トランスポンダ)を１対として、正確に光ファイバで接続される(ステップＳ０１)。
このとき、少なくとも１つのトランスポンダ５０が、接続対象となる。この動作例では、例えば、トランスポンダ５０(＃１)が接続対象となる。
【００４４】
その後、オペレータからトランスポンダ制御部３０に対して、自動波長設定の要求コマンドが投入される(ステップＳ０２)。要求コマンドは、設定対象の各トランスポンダ５０に対して個別に要求することができる。或いは、設定対象の複数のトランスポンダ５０に対して一斉に要求コマンドを与えることも可能である。
【００４５】
例えば、トランスポンダ制御部３０には、設定対象のトランスポンダの識別情報を含む自動波長設定の要求コマンドが投入される。すると、トランスポンダ制御部３０は、要求コマンドに含まれる識別情報を持つトランスポンダ５０のみに、自動波長設定要求を通知する。ここでは、トランスポンダ５０(＃１)のみに要求コマンドが与えられる。
【００４６】
要求コマンド(自動波長設定要求)を受け取った各トランスポンダ５０(この例ではトラ
ンスポンダ５０(＃１))は、以下の動作を行う。即ち、トランスポンダ５０(＃１)では、
波長計５７がＷＤＭ部２０から受信している受信光の波長を読み取り、波長検出部５８に波長情報を送る(ステップＳ０３)。
【００４７】
次に、波長検出部５８は、波長情報が当てはまる波長幅の範囲(波長グリッド)を、波長グリッド情報に基づいて決定する。即ち、波長検出部５８は、波長情報で示される波長が
当てはまる中心波長±α[nm]の波長幅(波長情報で示される波長と最も近い波長グリッド
の中心波長)を検索する(ステップＳ０４)。
【００４８】
このとき、対応する波長幅(波長グリッド)が検索された場合(Ｓ０４；ＹＥＳ)には、この検索された波長グリッドの中心波長を送信波長λ１として決定し、波長情報として波長設定部５９へ送る(ステップＳ０５)。これに対し、当てはまる波長が検索されない場合(
Ｓ０４；ＮＯ)には、自動波長設定が不可(ＮＧ)であると判断し(ステップＳ０８)、図５
に示すシーケンスを終了する。
【００４９】
波長情報が波長検出部５８から受信される場合、波長設定部５９は、波長情報で特定される波長を送信波長λ１とする設定の制御を行う(ステップＳ０６)。即ち、波長設定部５９は、送信部５３が波長変換によって送信波長λ１の信号光を出力するように、送信波長λ１を送信部５３に設定する。送信波長の設定が完了すると、自動波長設定が正常に完了したと判断され(ステップＳ０７)、自動波長設定シーケンスが終了する。その後、トランスポンダ５０(＃１)は、運用状態となる。即ち、トランスポンダ５０(＃１)は、受信部５１で受信される信号光を送信部５３で設定された送信波長λ１に変換してＷＤＭ部２０へ送出する。
【００５０】
〈第１実施形態の作用効果〉
第１実施形態(ＷＤＭ伝送装置１)によると、トランスポンダ５０が、ＷＤＭ部２０からの受信光の波長を検出する検出手段(波長計５７)と、検出された波長に基づいてトランスポンダ５０からＷＤＭ部２０へ送信される光の送信波長を決定する決定手段(波長検出部
５８)と、決定された送信波長の設定制御を行う設定制御手段(波長設定部５９)とを備え
ている。
【００５１】
第１実施形態によれば、接続作業者がトランスポンダ５０とＷＤＭ部２０との接続作業を行い、オペレータが自動波長設定の要求コマンドを投入すれば、トランスポンダ５０の送信波長が自動的に設定される。即ち、要求コマンド投入を契機として、ＷＤＭ部２０からの受信光の波長が検出され、検出された受信光の波長に基づいて送信波長が決定及び設定される。このとき、受信光の波長を送信波長として決定することもできる。これによって、トランスポンダ５０の送信波長設定作業を自動化でき、設定作業の簡略化及び省力化が図られる。
【００５２】
また、自動波長設定を行うための改良が、トランスポンダ部１０のみで済む(ＷＤＭ部
２０に改変を加える必要がない)。このため、トランスポンダ部１０とＷＤＭ部２０とが
特別なやりとりを行う必要がない。従って、ＷＤＭ伝送装置１の構成を簡易にできるという利点、或いは、トランスポンダ部とＷＤＭ部との組み合わせの自由度が確保されるという利点がある。
【００５３】
言い換えれば、第１実施形態は、以下の利点を有する。
（１）ＷＤＭ伝送装置での立ち上げ時および波長増設時のトランスポンダの送信波長の設定作業を自動で行うことができる。このため、作業の煩雑さが軽減されるとともに、オペレータによる誤設定のおそれを解消できる。
（２）従来技術に比べて、第１実施形態は、トランスポンダ部のみの制御となる。このため、ＷＤＭ部の制御部とトランスポンダ部の制御部を連動(連携)させる必要がない。このため、異なるベンダから提供されるＷＤＭ部についても、第１実施形態に係るトランスポンダ部を適用することが可能となる。
（３）第１実施形態によれば、１回の自動波長設定の要求コマンドの投入によって、波長設定対象の複数のトランスポンダが独立に自動波長設定処理を行う。これによって、波長設定に要する時間を短縮できる。このことは、設定される波長数が多い程、有効な利点と
なる。
（４）さらに、トランスポンダの波長設定は受信している波長情報を読み取り、送信波長として設定を行う。このため、他の方式よりも設定時間が短い。従って、ＷＤＭ伝送装置の立ち上げ時間を短縮することができる。
【００５４】
〈変形例〉
第１実施形態では、各トランスポンダ５０がＣＰＬ５４，波長計５７，波長検出部５８及び波長設定部５９からなる自動波長設定部を有する構成について説明した。この構成に代えて、未使用波長の設定対象となり得る少なくとも１つのトランスポンダのみが、自動波長設定部を有するように構成しても良い。即ち、トランスポンダ部１０に実装される、自動波長設定部を持つトランスポンダの数は任意である。このことは、後述する第２及び第３の実施形態においても同様である。
【００５５】
〔第２実施形態〕
次に、本発明による波長分割多重装置(ＷＤＭ伝送装置)の第２実施形態について説明する。第２実施形態は、第１実施形態との共通点を含むので、主として相違点について説明し、共通点の説明は省略する。
【００５６】
〈装置構成〉
図６は、本発明によるＷＤＭ伝送装置の第２実施形態の構成例を示す図である。図６において、ＷＤＭ伝送装置１Ａは、図２に示したＷＤＭ伝送装置１と次の点で異なっている。即ち、第２実施形態におけるトランスポンダ部１０は、複数のトランスポンダ５０Ａを有している。各トランスポンダ５０Ａは、図２に示した波長計５７，波長検出部５８及び波長設定部５９の代わりに、光チューナブルフィルタ(ＴＦＬＴ)６０と、ＰＤ６１と、波長制御部６２とを有している。以上の構成を除き、ＷＤＭ伝送装置１Ａは、ＷＤＭ伝送装置１と同様の構成を有する。なお、図６において、ＷＤＭ伝送装置１と同様の構成要素には、同一の符号が付されている。
【００５７】
ＴＦＬＴ６０として、例えば、ファブリー・ペロー干渉計の原理に基づくエタロンフィルタを適用することができる。図７は、エタロンフィルタの波長測定原理を示す図である。図７に示すように、エタロンフィルタは、向かいあわせて平行に保たれた透過率の低い２枚の平面鏡Ｍ１，Ｍ２を有している。
【００５８】
このような平面鏡Ｍ１,Ｍ２に平行光線を入射させると、多重干渉によって、特定の波
長の光だけが通過(透過)する。通過波長は制御可能であり、入射光の波長λ１の１／２の整数倍を平面鏡Ｍ１と平面鏡Ｍ２との間隔ｄとすると、入射光の波長λ１は全透過する。即ち、図７(Ａ)に示すように、間隔ｄが入射光の波長λ１の１／２の整数倍であるときに、入射光λ１が例えば平面鏡Ｍ１に入射されると、平面鏡Ｍ２から透過光(通過光)λ１が出射される。
【００５９】
これに対し、間隔ｄが入射光波長の１／２の整数倍以外であるときには、入射光は出射側の平面鏡で全反射され、透過光は出射されない。即ち、図７(Ｂ)に示すように、間隔ｄが入射光の波長λ１の１／２の整数倍以外であるときに、入射光λ１が例えば平面鏡Ｍ１に入射されると、入射光λ１は平面鏡Ｍ２で全反射され、平面鏡Ｍ２から透過光は出射されない。
【００６０】
このような原理によって、エタロンフィルタは、平面鏡Ｍ１,Ｍ２の間隔ｄを調整する
ことで、所望の波長を通過させることができる。ＴＦＬＴ６０は、上記したエタロンフィルタを有するとともに、平面鏡Ｍ１,Ｍ２の間隔ｄを調整する図示しないアクチュエータ
を有している。ＴＦＬＴ６０は、ＣＰＬ５４からの入射光が平面鏡Ｍ１に入射し、アクチ
ュエータによる間隔ｄの調整で、ＣＰＬ５４からの入射光が平面鏡Ｍ２を透過して出射するように構成されている。即ち、ＴＦＬＴ６０は、間隔ｄの調整によって、その通過波長を変更することができる。従って、ＴＦＬＴ６０に対して様々な通過波長を設定することができる。間隔ｄの調整は、波長制御部６２によるアクチュエータの制御によって行われる。ＴＦＬＴ６０は、間隔ｄを示す信号(平面鏡の位置情報)を波長制御部６２に入力する。
【００６１】
図６に示すＰＤ６１は、平面鏡Ｍ２からの出射光(透過光)、即ちＴＦＬＴ６０の通過光(通過波長帯域)の光レベルを検知する。ＰＤ６１で通過光が検知されると、検知を示す信号がＰＤ６１から波長制御部６２に入力される。
【００６２】
波長制御部６２は、間隔ｄと波長λ(ＴＦＴＬ６０の通過波長帯域)との対応関係を示すデータを有しており(例えば、記憶装置上に格納されている)、間隔ｄの調整を通じて所定の通過波長をＴＦＬＴ６０に設定することができる。また、波長制御部６２は、ＰＤ６１から透過光の検知を示す信号(通知)を受け取ることができる。
【００６３】
ＴＦＬＴ６０への入射光(受信光)の波長が、ＴＦＬＴ６０に設定された通過波長と合致する場合、受信光はＴＦＬＴ６０を通過してＰＤ６１に到達する。このとき、ＰＤ６１から波長制御部６２へ受信光の検知が通知される。波長制御部６２は、ＰＤ６１で受信光(
光レベル)が検知されたときの間隔ｄ(通過波長)から、受信光の波長を求めることができ
る。
【００６４】
波長制御部６２は、通過波長と間隔ｄとの関係を示すデータとして、例えば、ITU-T G.694の各波長グリッドλｓ(ｓ＝１,２,・・・ｎ−１,ｎ：ｎは自然数)に応じた間隔ｄのデータを有している。この場合、波長制御部６２は、間隔ｄの調整を通じて、各波長グリッドに応じた通過波長(即ち、ＴＦＬＴ６０のフィルタ領域)をＴＦＬＴ６０に設定することができる。例えば、波長制御部６２は、波長λ１,λ２,・・・λｎのような所定の順序で、通過波長を切り替えることができる。通過波長の切替は、ＰＤ６１の検知状況に応じて行われる。即ち、受信光がＴＦＬＴ６０に入射されている状況下で、或る通過波長においてＰＤ６１で光レベルが検知されない場合、異なる通過波長への切替(変更)が行われる。
【００６５】
波長制御部６２は、受信光の波長を求めると、この波長を送信波長として決定する。例えば、波長制御部６２は、第１実施形態と同様に、求めた波長と最も近い波長グリッドの中心波長を検索し、検索した中心波長をトランスポンダ５０Ａの送信波長として決定することができる。
【００６６】
さらに、波長制御部６２は、決定した送信波長を設定する制御を行う。例えば、波長制御部６２は、主信号の送信部５３が決定された送信波長を有する光信号を波長変換によって生成するように、送信部５３に対する波長設定を実行する。
【００６７】
以上の構成において、ＣＰＬ５４，ＴＦＬＴ６０，ＰＤ６１及び波長制御部６２からなる自動波長設定部が、本発明に係る新規な構成である。波長制御部６２は、例えば、ハードウェアロジック回路によって実現することができる。或いは、波長制御部６２は、ＣＰＵのようなプロセッサ，記憶装置，及び入出力インタフェース等から構成され、プロセッサが記憶装置に記憶されたプログラムを実行することによって上記した機能を実現するように構成することができる。
【００６８】
〈動作例〉
図８は、第２実施形態におけるＷＤＭ伝送装置１Ａで実施される自動波長設定シーケンスを示す図である。図８に沿って自動波長設定に係る処理(自動波長設定方法)を説明する
。第２実施形態の実施条件は、第１実施形態の実施条件と同様である。
【００６９】
図８において、最初に、未使用状態のトランスポンダ５０ＡをＷＤＭ部２０(ＷＤＭ部
２０の所定のフィルタ２１)に光ファイバを介して接続する(ステップＳ０１)。続いて、
オペレータがトランスポンダ制御部３０に自動波長設定の要求コマンドを投入する(ステ
ップＳ０２)。
【００７０】
これらのステップＳ０１及びＳ０２の処理は、第１実施形態と同様の処理である。ここでは、図６におけるトランスポンダ５０Ａ(＃１)が、接続対象(自動波長設定対象)であると仮定する。
【００７１】
トランスポンダ５０Ａ(＃１)は、ＷＤＭ部２０との接続によって、受信部５５が対応するフィルタ２１から波長λ１を中心とした波長帯の光(漏れ光)を受信する状態となる。このとき、漏れ光の一部は、ＣＰＬ５４によって、ＴＦＬＴ６０に入射される。
【００７２】
波長制御部６２は、要求コマンドが通知されると、アクチュエータ制御によって、ＴＦＬＴ６０内の平面鏡Ｍ１,Ｍ２の間隔ｄ(フィルタ領域)を、波長グリッド(波長λｓ)の一
つに応じた値に設定する(ステップＳ１１)。即ち、波長制御部６２は、ＴＦＬＴ６０の通過波長として、波長λｓの一つを設定する。このとき、波長制御部６２は、設定した波長λｓ(光レベル)がＰＤ６１で検出されるかを監視する(ステップＳ１２)。
【００７３】
ＰＤ６１で光レベルが検出されない場合(Ｓ１２；ＮＯ)には、波長制御部６２は、全ての波長λｓをＴＦＬＴ６０に設定したか否かを判定する(ステップＳ１３)。このとき、全ての波長λｓが設定済みである場合(Ｓ１３；ＹＥＳ)には、波長制御部６２は、自動波長設定が不可(ＮＧ)であると判定し(ステップＳ１７)、自動波長設定シーケンスを終了する。これに対し、全ての波長λｓが設定されていない場合(Ｓ１３；ＮＯ)には、波長制御部６６２は、処理をステップＳ１１に戻し、異なる波長λｓをＴＦＬＴ６０に設定する。
【００７４】
ステップＳ１１でＴＦＬＴ６０に波長λ１が設定された場合には、ＣＰＬ５４からの入射光は波長λ１を有するので、波長λ１を有するＴＦＬＴ６０の通過光(透過光)がＰＤ６１で検出される。光レベルの検出は、波長制御部６２に通知される
波長制御部６２は、ＰＤ６１からの通知を受け取る(光レベル検出を検知する)と(Ｓ１
２；ＹＥＳ)、そのときのＴＦＬＴ６０の通過波長(ＴＦＬＴ６０に設定した波長λｓ)を
、トランスポンダ５０Ａ(＃１)の送信波長として決定する(ステップＳ１４)。ここでは、波長λ１が送信波長として決定される。
【００７５】
続いて、波長制御部６２は、決定した送信波長λ１の設定制御を行う(ステップＳ１５)。即ち、波長制御部６２は、送信部５３(図６)に対して、送信波長λ１を設定する。このようにして、トランスポンダ５０Ａ(＃１)に対する送信波長λ１の設定が完了すると(ス
テップＳ１６)、自動波長設定シーケンスは終了する。
【００７６】
〈第２実施形態の効果〉
第２実施形態(ＷＤＭ伝送装置１Ａ)によると、トランスポンダ５０Ａが、ＷＤＭ部２０からの受信光の波長を検出する検出手段(ＴＦＬＴ６０及びＰＤ６１)と、検出された波長に基づいてトランスポンダ５０ＡのＷＤＭ部２０への送信波長を決定する決定手段(波長
制御部６２)と、送信波長の設定制御を行う波長設定手段(波長制御部６２)とを備えてい
る。これによって、第２実施形態は、第１実施形態とほぼ同様の作用効果を得ることができる。
【００７７】
〔第３実施形態〕
次に、本発明による波長分割多重装置(ＷＤＭ伝送装置)の第３実施形態について説明する。第３実施形態は、第２実施形態との共通点を含むので、主として相違点について説明し、共通点の説明は省略する。
【００７８】
図６は、本発明によるＷＤＭ伝送装置の第２実施形態の構成例を示す図である。図６において、ＷＤＭ伝送装置１Ｂは、図２に示したＷＤＭ伝送装置１Ａと次の点で異なっている。即ち、ＷＤＭ伝送装置１Ｂは、トランスポンダ制御部３０Ａがアクセス可能な記憶装置上に作成された設定波長情報格納部(格納部)３１を有している。格納部３１は、トランスポンダ部１０にて既に設定されている送信波長を示す波長情報を格納している。
【００７９】
トランスポンダ制御部３０Ａに自動波長設定要求が入力された場合には、トランスポンダ制御部３０Ａは、格納部３１に格納された波長情報(設定済みの送信波長)を、設定(接
続)対象のトランスポンダ５０Ａの波長制御部６２に与える。ＷＤＭ伝送装置では、複数
のトランスポンダで同一波長が使用されることはない。従って、波長制御部６２は、設定済みの全ての送信波長(波長λｓ)を、ＴＦＬＴ６０に設定する波長λｓから除外し、残りの波長λｓを設定対象波長として波長設定処理を実行する。例えば、波長λｓとして、波長λ２〜λｎが既に設定済みであれば、波長制御部６２は、波長λ１のみをＴＦＬＴ６０に対する設定対象波長として決定し、波長設定処理を実行する。
【００８０】
このように、第２実施形態では、ＷＤＭ伝送装置１Ｂで使用可能な全波長がＴＦＬＴ６０に対する設定対象通過波長として規定されるのに対し、第３実施形態では、全波長から設定済みの波長が除外された波長が設定対象通過波長として利用される。
【００８１】
以上の構成を除き、ＷＤＭ伝送装置１Ｂの構成は、ＷＤＭ伝送装置１Ａと同様の構成を有する。図９において、図６に示したＷＤＭ伝送装置１Ａと同様の構成要素には、同一の符号が付されている。
【００８２】
図１０は、第３実施形態におけるＷＤＭ伝送装置１Ｂで実施される自動波長設定シーケンスを示す図である。図１０に沿って自動波長設定に係る処理(自動波長設定方法)を説明する。第３実施形態の実施条件は、第２実施形態の実施条件と同様である。
【００８３】
図１０において、ステップＳ１０及びＳ１１を除くステップＳ０１,０２,Ｓ１２〜Ｓ１７は、第２実施形態と同様の処理であるので、説明を省略する。ステップＳ１０において、自動波長設定の要求コマンドを受け取った波長制御部６２は、トランスポンダ制御部３０Ａを介して、格納部３１から波長情報(設定済みの送信波長)を読み出し、設定済みの送信波長をＴＦＬＴ６０への設定対象通過波長から除外する。次に、波長制御部６２は、ステップＳ１１Ａにおいて、設定済みの送信波長を除く残りの波長λｓ(設定対象通過波長)の一つを、ＴＦＬＴ６０に設定する。
【００８４】
その後、ＰＤ６０で光レベル(通過光)が検知された波長が、送信波長として設定される(ステップＳ１２〜Ｓ１６)。送信波長の設定が完了すると、波長制御部６２は、設定された送信波長を、トランスポンダ制御部３０Ａに通知する。トランスポンダ制御部３０Ａは、通知された送信波長を格納部３１に格納する(書き込む)。書き込まれた送信波長は、波長情報に含まれ、次のトランスポンダの自動送信波長設定において利用される。
【００８５】
〈第３実施形態の効果〉
第３実施形態(ＷＤＭ伝送装置１Ｂ)によると、ＷＤＭ伝送装置１Ｂは、ＷＤＭ伝送装置１Ａと同様に、トランスポンダが、ＷＤＭ部２０からの受信光の波長を検出し、受信光の波長に基づいて送信波長を決定及び設定する。これによって、第２実施形態と同様の効果を得ることができる。
【００８６】
さらに、第３実施形態では、トランスポンダ部１０で設定済みの全ての送信波長を示す情報を格納した記憶手段(格納部３１)を有している。検出手段(ＴＦＬＴ６０及びＰＤ６
１)による受信光の波長検出において、記憶手段に記憶された設定済みの全て送信波長は
、ＴＦＬＴ６０に設定すべき設定対象通過波長から除外され、残りの未使用の送信波長を設定対象通過波長とする波長検出処理が実行される。これによって、ＴＦＬＴ６０に対して設定すべき波長数が減るので、自動送信波長設定に要する時間の短縮化を図ることが可能となる。
【００８７】
〈変形例〉
なお、第３実施形態では、格納部３１に設定済みの送信波長を記憶する構成とした。このような構成に代えて、格納部３１に全ての波長λｓから設定済みの送信波長が除外された波長リストが記憶され、波長制御部６２が格納部３１の波長リストに含まれる波長を設定対象通過波長として用い、送信部５３に対する波長設定を実行するように構成しても良い。
【００８８】
なお、第１実施形態においても、トランスポンダ部１０における設定済みの送信波長を記憶手段(格納部３１)で保持する構成とし、設定済みの送信波長に対応する回転角度にグレーティング５７３(図３)を設定しないようにすることができる。
【００８９】
〔その他〕
上述した第１〜第３実施形態は、以下の発明を開示する。以下に開示する発明は、必要に応じて適宜組み合わせることができる。
【００９０】
（付記１）
トランスポンダ部と、このトランスポンダ部と接続される波長分割多重部とを含む波長分割多重装置であって、
前記波長分割多重部は、前記トランスポンダ部から受信される、異なる波長を有する複数の光を波長多重して送出するとともに、波長多重された光を受信し、この波長多重された光を異なる波長を有する複数の光に分割して前記トランスポンダ部に送信し、
前記トランスポンダ部は、前記波長分割多重部で多重又は分割される複数の光の波長毎に用意され、前記複数の光の一つを前記波長分割多重部との間で送受信する複数のトランスポンダを有し、
前記複数のトランスポンダの少なくとも１つは、
前記波長分割多重部に接続されたときに前記波長分割多重部から受信される、前記異なる波長の一つを有する受信光の波長を検出する検出手段と、
前記検出手段によって検出された受信光の波長に基づいて、前記波長分割多重部へ送信される光の波長たる送信波長を決定する決定手段と、
前記波長分割多重部へ送信すべき光の波長を前記送信波長に変換して送信する設定を行う設定制御手段と、
を含む波長分割多重装置。（１）
（付記２）
前記決定手段は、前記検出手段で検出された受信光の波長が前記波長分割多重装置で使用される複数の波長グリッドのいずれに属するかを判定し、前記検出された光の波長が属する波長グリッドの中心波長を前記送信波長として決定する
付記１記載の波長分割多重装置。
【００９１】
（付記３）
前記検出手段は、通過波長を変更可能であり、前記波長多重分割部からの受信光が入射されるチューナブルフィルタと、前記チューナブルフィルタを通過した光を検知するフォ
トディテクタと、前記フォトディテクタの検知状況に応じて前記通過波長を変更する制御手段とを含み、
前記フォトディテクタで前記チューナブルフィルタを通過した前記受信光が検知されたときの通過波長が前記受信光の波長として検出される
付記１又は２記載の波長分割多重装置。（２）
（付記４）
前記波長分割多重装置で使用可能な異なる複数の波長が前記チューナブルフィルタに設定すべき設定対象通過波長として規定され、
前記フォトディテクタの検知状況に応じて、前記チューナブルフィルタの通過波長が、前記設定対象通過波長の一つに切り替えられる
付記３記載の波長分割多重装置。（３）
（付記５）
前記波長分割多重装置で既に使用中の波長を識別可能な情報を記憶した記憶手段をさらに備え、
前記記憶手段に記憶された情報に基づき、使用中の波長が前記設定対象通過波長から除外される
付記４記載の波長分割多重装置。（３）
（付記６）
前記トランスポンダ部は、前記検出手段，前記決定手段及び前記設定制御手段を有する複数のトランスポンダを有し、これらの複数のトランスポンダは、１回の自動波長設定要求に応じて、前記受信光の検出，前記送信波長の決定及び前記送信波長の設定制御を独立に実行する
付記１〜５のいずれかに記載の波長分割多重装置。
【００９２】
（付記７）
トランスポンダ部と、このトランスポンダ部に接続される波長分割多重部とを含む波長分割多重装置であって、前記波長分割多重部は、前記トランスポンダ部から受信される異なる波長を有する複数の光を波長多重して送出するとともに、波長多重された光を受信し、この波長多重された光を異なる波長を有する複数の光に分割して前記トランスポンダ部に送信し、前記トランスポンダ部は、前記波長分割多重部で多重又は分割される波長毎に用意され、前記異なる波長を有する複数の光の一つを前記波長分割多重部との間で送受信する複数のトランスポンダを有する波長多重分割装置において、
前記複数のトランスポンダの少なくとも１つが、
前記波長分割多重部に接続されたときに前記波長分割多重部から受信される、前記異なる波長の一つを有する受信光の波長を検出し、
前記検出された受信光の波長に基づき、前記波長分割多重部へ送信される光の波長たる送信波長を決定し、
前記波長分割多重部へ送信すべき光の波長を前記送信波長に変換して送信する設定を行う、
ことを含む波長分割多重装置の自動送信波長設定方法。
【００９３】
（付記８）
波長分割多重装置に含まれる波長分割多重部と接続され、前記波長多重分割部で波長多重される、波長が異なる複数の光の一つをこの波長多重分割装置へ送信するとともに、波長分割多重装置へ送信される波長と同じ波長の光を前記波長多重分割部から受信するトランスポンダであって、
前記波長分割多重部に接続されたときに前記波長分割多重部から受信される、前記異なる波長の一つを有する受信光の波長を検出する検出手段と、
前記検出手段によって検出された受信光の波長に基づいて、前記波長分割多重部へ送信される光の波長たる送信波長を決定する決定手段と、
前記波長分割多重部へ送信すべき光の波長を前記送信波長に変換して送信する設定を行う設定制御手段と、
を含むトランスポンダ。（４）
（付記９）
波長分割多重装置に含まれる波長分割多重部と接続され、前記波長多重分割部で波長多重される、波長が異なる複数の光の一つをこの波長多重分割装置へ送信するとともに、波長分割多重装置へ送信される波長と同じ波長の光を前記波長多重分割部から受信するトランスポンダが、
前記波長分割多重部に接続されたときに前記波長分割多重部から受信される、前記異なる波長の一つを有する受信光の波長を検出し、
前記検出された受信光の波長に基づいて、前記波長分割多重部へ送信される光の波長たる送信波長を決定し、
前記波長分割多重部へ送信すべき光の波長を前記送信波長に変換して送信する設定を行う、
ことを含むトランスポンダの自動送信波長設定方法。（５）
【図面の簡単な説明】
【００９４】
【図１】従来のＷＤＭ伝送装置の構成図である。
【図２】本発明の第１実施形態のＷＤＭ伝送装置の構成例を示す図である。
【図３】ＷＤＭ部を抜けてくるＡＳＥ漏れ光(ＷＤＭ部からの受信光)の説明図である。
【図４】図２に示した波長計の構成例を示す図である。
【図５】第１実施形態の自動波長設定のシーケンスを示す図である。
【図６】本発明の第２実施形態のＷＤＭ伝送装置の構成例を示す図である。
【図７】図６に示した光チューナブルフィルタに適用可能なエタロンフィルタの原理図である。
【図８】第２実施形態の自動波長設定のシーケンスを示す図である。
【図９】本発明の第３実施形態のＷＤＭ伝送装置の構成例を示す図である。
【図１０】第３実施形態の自動波長設定のシーケンスを示す図である。
【符号の説明】
【００９５】
Ｍ１，Ｍ２・・・平面鏡
１，１Ａ，１Ｂ・・・ＷＤＭ伝送装置(波長分割多重装置)
１０・・・トランスポンダ部
２０・・・ＷＤＭ部(波長分割多重部)
２１・・・フィルタ
２２・・・多重／分割部
２３・・・光増幅部
２３Ａ，２３Ｂ・・・光ファイバ増幅器
３０・・・トランスポンダ制御部
３１・・・設定波長情報格納部
４０・・・ＷＤＭ制御部
５０，５０Ａ・・・トランスポンダ
５１，５５・・・受信部
５２・・・信号処理部
５３，５６・・・送信部
５４・・・光ファイバカプラ
５７・・・波長計
５８・・・波長検出部
５９・・・波長設定部
６０・・・光チューナブルフィルタ(ＴＦＬＴ)
６１，５７６・・・フォトディテクタ
６２・・・波長制御部
５７１・・・第１スリット
５７２・・・第１ミラー
５７３・・・グレーティング
５７４・・・第２ミラー
５７５・・・第２スリット
【図１】
0004642623.tif 000002
【図２】
0004642623.tif 000003
【図３】
0004642623.tif 000004
【図４】
0004642623.tif 000005
【図５】
0004642623.tif 000006
【図６】
0004642623.tif 000007
【図７】
0004642623.tif 000008
【図８】
0004642623.tif 000009
【図９】
0004642623.tif 000010
【図１０】
0004642623.tif 000011